(57)【要約】【課題】印刷物がユーザに提供されるまでの複数の工程をユーザに円滑に行わせることにより、ユーザの順番待ちの時間を短縮することができる画像印刷装置を提供すること。【解決手段】代価受付部ＲＭと撮像部ＣＭとを互いに異なる位置に設けることにより、ユーザが画像を撮像するために撮像領域ＣＡに滞在する前に、撮像領域ＣＡとは異なる受付領域ＲＡにおいてユーザに代価の投入および頭髪や衣服の状態の確認を行わせ、ユーザが撮像領域ＣＡに滞在する時間を短縮させる。【選択図】図１
2009069431.tif 000002
【特許請求の範囲】
【請求項１】
撮像したユーザの画像を編集して印刷する画像印刷装置であって、
第１の領域に位置するユーザから代価の投入を受け付ける代価受付部と、
前記代価の全部または一部の投入を受け付けた場合に、前記第１の領域に位置するユーザを照明する照明部と、
前記第１の領域に位置するユーザを映す鏡面体と、
第２の領域に位置するユーザの画像を撮像する撮像部と、
第３の領域に位置するユーザから前記画像を編集するための操作を受け付ける編集操作受付部と、
編集された前記画像を印刷して印刷物をユーザに提供する印刷物提供部と、
を含むことを特徴とする画像印刷装置。
【請求項２】
請求項１において、
前記第２の領域に位置するユーザに対して所与の画像を表示する表示部と、
前記代価の全部または一部の投入を受け付けていない場合に、前記代価受付部に前記代価の投入を行うことを案内する案内画像を前記表示部に表示させる表示制御部と、
を更に含むことを特徴とする画像印刷装置。
【請求項３】
請求項１、２のいずれかにおいて、
前記代価の全部または一部の投入を受け付けた場合に前記照明部を点灯させ、前記照明部を点灯させてから所定期間が経過した場合に前記照明部を消灯させる照明制御部と、
所定の条件が満たされた場合に、前記撮像部の設定状態をユーザが前記撮像部を使用することができる状態である使用状態に設定する状態制御部と、
を更に含み、
前記照明制御部が、
前記撮像部の設定状態が使用状態に設定されていない場合に、前記照明部を点灯させてから所定期間が経過していない場合であっても、ユーザの操作入力に基づいて前記照明部を消灯させることを特徴とする画像印刷装置。
【発明の詳細な説明】
【技術分野】
【０００１】
本発明は、画像印刷装置に関する。
【背景技術】
【０００２】
従来から、ユーザの画像を撮像し、撮像した画像をユーザの操作により編集し、編集した画像をシールなどの印刷媒体に印刷して印刷物をユーザに提供する画像印刷装置が知られている。この種の画像印刷装置では、ユーザが画像を撮像するために滞在する撮像領域と、ユーザが画像を編集するために滞在する編集領域とが異なるように装置を構成して、１のユーザからそのユーザの画像を編集するための操作を受け付けつつ、次のユーザの画像を撮像することにより、ユーザの順番待ちの時間を短縮するようにしている。このような画像印刷装置として、特許文献１に記載されたものがある。
【特許文献１】特開２００７−１９９５５０号公報
【発明の開示】
【発明が解決しようとする課題】
【０００３】
しかし従来の画像印刷装置では、撮像領域においてユーザから代価の投入を受け付けていたので、撮像領域においてユーザが代価を用意することにより撮像領域にユーザが滞在する時間が長くなってしまうという問題があった。特に、ユーザが撮像領域に入ってから代価としての小銭がないことに気付き、撮像領域を確保したまま両替機に向かうなどする事態が発生することもあり、このような場合には撮像領域にユーザが滞在する時間が更に長くなっていた。また、ユーザが撮像領域に入ってから画像を撮像する前に頭髪や衣服の状態を確認することによっても、撮像領域にユーザが滞在する時間が長くなっていた。
【０００４】
本発明は、かかる課題を解決するためになされたものであり、その目的は、印刷物がユーザに提供されるまでの複数の工程をユーザに円滑に行わせることにより、ユーザの順番待ちの時間を短縮することができる画像印刷装置を提供することにある。
【課題を解決するための手段】
【０００５】
（１）本発明は、
撮像したユーザの画像を編集して印刷する画像印刷装置であって、
第１の領域に位置するユーザから代価の投入を受け付ける代価受付部と、
前記代価の全部または一部の投入を受け付けた場合に、前記第１の領域に位置するユーザを照明する照明部と、
前記第１の領域に位置するユーザを映す鏡面体と、
第２の領域に位置するユーザの画像を撮像する撮像部と、
第３の領域に位置するユーザから前記画像を編集するための操作を受け付ける編集操作受付部と、
編集された前記画像を印刷して印刷物をユーザに提供する印刷物提供部と、
を含むことを特徴とする画像印刷装置に関係する。
【０００６】
本発明において、「第１の領域」、「第２の領域」、「第３の領域」とは、ユーザが滞在する領域であって、画像印刷装置の構成に含まれる領域であってもよいし、例えば画像印刷装置の周辺の領域など、画像印刷装置の構成に含まれない領域であってもよい。
【０００７】
また本発明において、「代価の投入」とは、硬貨やメダルなどを画像印刷装置に物理的に入れることにより代価を支払うことや、磁気カードやＩＣカードなどに記憶された電子マネー情報などを画像印刷装置との間で送受信することにより代価を支払うことを含む。
【０００８】
本発明によれば、ユーザが撮像部を使用するために第２の領域に滞在する前に、第２の領域とは異なる第１の領域においてユーザに代価の投入を行わせるとともに、照明部と鏡面体とを用いて頭髪や衣服の状態を確認させることができる。すなわち本発明によれば、先のユーザが撮像部を使用するために第２の領域に滞在している間の待ち時間を利用して、第１の領域において次のユーザに代価の投入や、頭髪・衣服の状態の確認を行わせることにより、次のユーザが第２の領域に移動した際に速やかに撮像部の使用を開始させることができる。従って本発明によれば、ユーザが第２の領域に滞在する時間を短縮することにより、ユーザの順番待ちの時間を短縮することができる。
【０００９】
（２）また本発明に係る画像印刷装置では、
前記第２の領域に位置するユーザに対して所与の画像を表示する表示部と、
前記代価の全部または一部の投入を受け付けていない場合に、前記代価受付部に前記代価の投入を行うことを案内する案内画像を前記表示部に表示させる表示制御部と、
を更に含むようにしてもよい。
【００１０】
本発明によれば、第１の領域において代価の投入を行わずに第２の領域に位置したユーザに対して、第１の領域において代価の投入を行うことを案内することができる。
【００１１】
（３）また本発明に係る画像印刷装置では、
前記代価の全部または一部の投入を受け付けた場合に前記照明部を点灯させ、前記照明部を点灯させてから所定期間が経過した場合に前記照明部を消灯させる照明制御部と、
所定の条件が満たされた場合に、前記撮像部の設定状態をユーザが前記撮像部を使用することができる状態である使用状態に設定する状態制御部と、
を更に含み、
前記照明制御部が、
前記撮像部の設定状態が使用状態に設定されていない場合に、前記照明部を点灯させてから所定期間が経過していない場合であっても、ユーザの操作入力に基づいて前記照明部を消灯させるようにしてもよい。
【００１２】
本発明において、「所定の条件」とは、ユーザが撮像部を使用可能となる条件であって、例えば、所定期間が経過することや、撮像部の設定状態が使用状態に設定されていないことや、ユーザの操作入力が行われたことなどとすることができる。
【００１３】
本発明によれば、ユーザが代価の投入を行った際に、撮像部を使用している先のユーザがいない場合には、ユーザの操作入力により照明部を消灯させ、ユーザに速やかに撮像部の使用を開始させることができる。
【発明を実施するための最良の形態】
【００１４】
１．写真シール自動販売装置の構成
図１は、本実施形態の写真シール自動販売装置ＰＭ（画像印刷装置の一例）の外観の一例を示す斜視図である。図１に示すように、本実施形態の写真シール自動販売装置ＰＭは、代価受付部ＲＭと、撮像部ＣＭと、編集操作受付部ＥＭと、写真シール提供部ＰＢとを有する。
【００１５】
図１に示す代価受付部ＲＭは、ユーザが本実施形態の写真シール自動販売装置ＰＭを利用する際に最初に接するものであり、写真シール自動販売装置ＰＭを利用するための代価を投入するためのものである。本実施形態では、代価受付部ＲＭの前面中部にスピーカＳＰが設けられており、代価受付部ＲＭの前側の領域である受付領域ＲＡ（第１の領域の一例）に位置するユーザに対して代価を投入するように案内する音声が出力される。またスピーカＳＰの上方には受付用モニタＲＭＮが設けられており、受付領域ＲＡに位置するユーザに対して、撮像部ＣＭが先のユーザによって使用されているか否かを報知する画像が表示される。そして代価受付部ＲＭの前面下部には、コイン投入口ＣＩが設けられており、受付領域ＲＡに位置するユーザから代価の投入を受け付けるようになっている。
【００１６】
また代価受付部ＲＭの前面上部および前面中部には、受付領域ＲＡに位置するユーザを照明する受付用照明部ＲＬ（照明部の一例）が設けられている。この受付用照明部ＲＬは、ユーザがコイン投入口ＣＩに代価の全部または一部を投入した場合に点灯するように制御される。
【００１７】
また上部の受付用照明部ＲＬと中部の受付用照明部ＲＬとの間には、受付用照明部ＲＬに照明されたユーザの姿を映す鏡ＭＲ（鏡面体の一例）が設けられている。すなわち鏡ＭＲは、受付領域ＲＡに位置するユーザの姿を映すことができるように設けられている
このように本実施形態では、ユーザが受付領域ＲＡに位置してコイン投入口ＣＩに代価を投入すると、受付用照明部ＲＬが、受付領域ＲＡに位置するユーザを照明する。従ってユーザは、受付領域ＲＡにおいて照明された状態で鏡ＭＲに映った自らの姿を見ることにより、撮像部ＣＭにおいて画像を撮像する前に頭髪や衣服の状態の確認を行うことができる。
【００１８】
そして、受付用照明部ＲＬが点灯されてから所定時間が経過するか、代価受付部ＲＭの前面中部に設けられた撮像移行ボタンＢＴがユーザにより押下されると、受付用照明部ＲＬは消灯制御される。すると、受付領域ＲＡに位置するユーザに対して、撮像部ＣＭの前側の領域である撮像領域ＣＡ（第２の領域の一例）に移動するように案内する音声がスピーカＳＰから出力される。
【００１９】
図１に示す撮像部ＣＭは、上述した代価受付部ＲＭに対して代価の投入を行ったユーザの画像を撮像するためのものであり、上述した代価受付部ＲＭとは異なる位置に設けられている。本実施形態では撮像部ＣＭは、画像の背景に周囲の景色が写りこまないように、また、撮像されているユーザが周囲から見えないように、シートＳＴで周囲が覆われている。図２は、本実施形態の写真シール自動販売装置ＰＭのシートＳＴを取り除いた状態の外観を、撮像部ＣＭの前面が右正面となるように示した斜視図である。
【００２０】
図２に示すように撮像部ＣＭの前面上部には、撮像領域ＣＡに位置するユーザの画像を撮像するカメラＣＲが設けられている。このカメラＣＲは、次のユーザが代価受付部ＲＭのコイン投入口ＣＩに代価の全部を投入したことと、先のユーザの画像の撮像が終了していることを条件に、次のユーザの操作入力や所定時間の経過に基づいて画像の撮像を開始するように制御される。
【００２１】
また撮像部ＣＭの前面上部から中部には、撮像領域ＣＡに位置するユーザを照明する撮像用照明部ＣＬが設けられている。この撮像用照明部ＣＬは、カメラＣＲがユーザの画像の撮像を開始した場合に点灯するように制御される。そして、カメラＣＲがユーザの画像を撮像している間、ユーザを照明し続けるように制御される。
【００２２】
また撮像部ＣＭの前面中部には、撮像領域ＣＡに位置するユーザに対して、カメラＣＲが撮像している画像を表示する撮像用モニタＣＭＮ（表示部の一例）が設けられている。本実施形態ではカメラＣＲが画像の撮像を開始すると、撮像用モニタＣＭＮは、撮像領域ＣＡに位置するユーザの画像をリアルタイムの動画として表示する。これによりユーザは、カメラＣＲが撮像しているユーザの画像を撮像用モニタＣＭＮにより確認することができる。
【００２３】
また撮像用モニタＣＭＮは、接触位置を検出できるタッチセンサパネルが積層されたタッチパネル式モニタにより構成されており、ユーザが撮像用モニタＣＭＮを触ることにより操作入力を行うことができる。
【００２４】
そして、ユーザの画像の撮像が開始されてから所定時間が経過するとユーザの画像の撮像を終了する。そして、撮像領域ＣＡに位置するユーザに対して、編集操作受付部ＥＭの前側の領域である編集領域ＥＡ（第３の領域の一例）に移動するように案内する画像を撮像用モニタＣＭＮに表示させる。
【００２５】
図１に示す編集操作受付部ＥＭは、上述した撮像部ＣＭにおいて画像を撮像したユーザが、撮像した画像を編集するための操作を行うためのものであり、上述した撮像部ＣＭとは異なる位置に設けられている。本実施形態では編集操作受付部ＥＭは、編集操作を行っているユーザが周囲から見えないように、シートＳＴで周囲が覆われている。特に本実施形態では編集操作受付部ＥＭとして、第１の編集操作受付部ＥＭ１と第２の編集操作受付部ＥＭ２とが設けられている。図３は、本実施形態の写真シール自動販売装置ＰＭのシートＳＴを取り除いた状態の外観を、第１の編集操作受付部ＥＭ１の前面が右正面となるように示した斜視図である。
【００２６】
図３に示すように第１の編集操作受付部ＥＭ１の前面中央部には、第１の編集操作受付部ＥＭ１の前側の領域である編集領域ＥＡ１（第３の領域の一例）に位置するユーザに対して、シールに印刷する静止画として決定した画像を表示しつつ、表示した画像を編集するための操作を受け付けるタッチパネル式の編集用モニタＥＭＮが設けられている。
【００２７】
本実施形態では、編集用モニタＥＭＮの左右側にそれぞれタッチペンＴＰが用意されており、ユーザはタッチペンＴＰの先端を編集用モニタＥＭＮの任意の位置に接触させることにより、決定した画像に合成する線図を描いたり、模様や図柄のテンプレート（スタンプ画像）を選択してこれを画像に配置して、シールに印刷する静止画を編集する。
【００２８】
なお本実施形態では、図３に示す第１の編集操作受付部ＥＭ１の背面側に、第１の編集操作受付部ＥＭ１と同様の構成を有する第２の編集操作受付部ＥＭ２が設けられ、第２の編集操作受付部ＥＭ２の前側の領域である編集領域ＥＡ２（第４の領域の一例）に位置するユーザに対して、シールに印刷する静止画として決定した画像を表示しつつ、表示した画像を編集するための操作を受け付ける。
【００２９】
そして、画像の編集操作の受け付けが開始されてから所定時間が経過するか、ユーザの操作により編集操作の終了が選択されると、画像の編集操作の受け付けを終了する。そして、編集領域ＥＡ１または編集領域ＥＡ２に位置するユーザに対して、写真シール提供部ＰＢ（印刷物提供部の一例）の前側の領域である取出領域ＰＡ（第５の領域の一例）に移動するように案内する画像を、編集用モニタＥＭＮに表示させる。
【００３０】
そして図３に示すように、第１の編集操作受付部ＥＭ１の左側面には、編集された画像をシールに印刷した写真シール（印刷物の一例）をユーザに提供する写真シール提供部ＰＢが設けられている。本実施形態では、取出領域ＰＡに位置するユーザに対して写真シールを提供するように、写真シール提供部ＰＢの前面に写真シール取出口ＰＯが設けられている。
【００３１】
このように本実施形態の写真シール自動販売装置ＰＭでは、代価受付部ＲＭと、撮像部ＣＭと、第１の編集操作受付部ＥＭ１と、第２の編集操作受付部ＥＭ２と、写真シール提供部ＰＢとが、互いに異なる位置に設けられている。従って本実施形態では、受付領域ＲＡに位置するユーザに代価の投入および頭髪や衣服の状態の確認を行わせ、撮像領域ＣＡに位置するユーザに画像の撮像を行わせ、編集領域ＥＡ１、ＥＡ２に位置するユーザに画像の編集操作を行わせ、取出領域ＰＡに位置するユーザに対して写真シールを提供するというように、５つの領域において最大５人（５組）のユーザに対して同時にサービスを提供することができる。こうして本実施形態の写真シール自動販売装置ＰＭでは、複数のユーザに対して同時に各領域に応じたサービスを提供することにより、ユーザの順番待ちの時間を短縮するようにしている。
【００３２】
２．機能ブロックの説明
図４は、本実施形態の写真シール自動販売装置ＰＭの機能ブロック図である。
【００３３】
本実施形態の写真シール自動販売装置ＰＭは、処理部１００（制御基板）によって制御される。処理部１００は、代価受付部ＲＭに設けられた代価検出センサ２１０、撮像移行ボタン２２０や、撮像部ＣＭに設けられた撮像用タッチセンサ２３０や、編集操作受付部ＥＭに設けられた編集用タッチセンサ２４０等の入力部からの入力信号を受けて、サービスを実行するための各種の演算を行い、演算結果に基づいて、代価受付部ＲＭに設けられた受付用照明３１０、受付用モニタ３２０や、撮像部ＣＭに設けられた撮像用モニタ３３０、カメラ３４０、撮像用照明３５０や、編集操作受付部ＥＭに設けられた編集用モニタ３６０や、写真シール提供部ＰＢに設けられた印刷部３７０や、各部に設けられたスピーカ３８０等の出力部の動作制御を行う。処理部１００の機能は各種のプロセッサ（ＣＰＵ、ＤＳＰなど）、ＡＳＩＣ（ゲートアレイなど）、ＲＯＭ（情報記憶媒体の一例）、ＲＡＭなどのハードウェア、あるいはＲＯＭに予め記憶されている所与のプログラムからなるソフトウェアにより実現される。
【００３４】
そして処理部１００は、状態制御部１０２、第１のカウンタ部１０４、照明制御部１０６、第２のカウンタ部１０８、表示制御部１１０、カウンタ制御部１１２、カメラ制御部１１４、第３のカウンタ部１１６、編集処理部１１８、印刷処理部１２０、音制御部１２２、記憶部１２４を含む。
【００３５】
状態制御部１０２は、写真シール自動販売装置ＰＭの状態、あるいは代価受付部ＲＭ、撮像部ＣＭ、編集操作受付部ＥＭ、写真シール提供部ＰＢの各部の状態を、ユーザが使用することができる使用状態と、ユーザが使用することができる状態を待機している待機状態（アトラクト状態）との間で移行させる制御を行う。具体的には本実施形態では、各部の状態が使用状態である場合には各部の状態フラグをＯＮに設定し、待機状態である場合には各部の状態フラグをＯＦＦに設定する。
【００３６】
例えば、代価検出センサ２１０がコイン投入口ＣＩへの代価の全部または一部の投入を検出すると、状態制御部１０２は代価の投入を受け付け、代価受付部ＲＭの状態を、待機状態から使用状態に設定する。本実施形態では、写真シール自動販売装置ＰＭを１回利用するために４００円を必要としているが、１００円硬貨が１枚投入された時点で使用状態に設定するようにしてもよいし、４枚投入された時点で使用状態に設定するようにしてもよい。そして代価受付部ＲＭの状態が使用状態に設定されると、更なる代価の投入は受け付けない。
【００３７】
第１のカウンタ部１０４は、代価受付部ＲＭの状態が使用状態に設定されると、受付用照明３１０を点灯させる期間に相当する第１の期間をカウントする。本実施形態では、第１の期間は３０秒とされている。
【００３８】
照明制御部１０６は、代価の全部または一部の投入を受け付けたことに基づいて、第１の期間のカウントが開始されるとともに、受付用照明３１０を点灯させる。そして第１の期間のカウントが満了すると、受付用照明３１０を消灯させる。本実施形態では、ユーザが代価を投入すると受付用照明３１０を点灯させ、ユーザに鏡ＭＲを用いて頭髪や衣服の状態の確認を行わせ、ユーザが代価を投入してから３０秒が経過すると受付用照明３１０を消灯させる。
【００３９】
また照明制御部１０６は、撮像部ＣＭを使用している先のユーザがいないため、撮像部ＣＭの設定状態が使用状態に設定されていない場合には、代価受付部ＲＭに設けられた撮像移行ボタン２２０を有効化し、受付用照明３１０を点灯させてから第１の期間が満了していない場合であっても、撮像移行ボタン２２０に対する次のユーザの操作入力に基づいて受付用照明３１０を消灯させる。この場合第１のカウンタ部１０４は、第１の期間が満了していない場合であっても第１の期間のカウントを終了する。
【００４０】
一方照明制御部１０６は、撮像部ＣＭを使用している先のユーザがいるため、撮像部ＣＭの設定状態が使用状態に設定されている場合には、撮像移行ボタン２２０を有効化せず、次のユーザについての第１の期間のカウントが満了しても、受付用照明３１０を消灯させない。すなわち照明制御部１０６は、先のユーザについて撮像部ＣＭの設定状態が使用状態に設定されている間は、受付用照明３１０を点灯させる。そして照明制御部１０６は、先のユーザによる撮像部ＣＭの使用が終了し、撮像部ＣＭが待機状態に設定されたことなどに基づいて受付用照明３１０を消灯させる。従って本実施形態では、先のユーザの撮像部ＣＭの使用が終了するまで、次のユーザに受付領域ＲＡにおいて鏡ＭＲを用いて頭髪や衣服の状態の確認を行わせることができる。
【００４１】
ここで状態制御部１０２は、代価受付部ＲＭを使用しているユーザが撮像部ＣＭを使用可能となる所定の条件が満たされたことに基づいて、代価受付部ＲＭを使用状態から待機状態に移行させる。ここで本実施形態では所定の条件を、撮像部ＣＭが使用状態に設定されていない場合には、第１の期間のカウントが満了したこと、または撮像移行ボタン２２０に対するユーザの操作入力が行われたこととすることができ、撮像部ＣＭが使用状態に設定されている場合には、撮像部ＣＭが待機状態に設定されたことなどとすることができる。
【００４２】
そして、状態制御部１０２が代価受付部ＲＭを使用状態から待機状態に移行させると、代価受付部ＲＭは、次のユーザからの代価の投入を受け付ける。そして状態制御部１０２は、代価受付部ＲＭの状態を使用状態から待機状態に設定すると、撮像部ＣＭの状態を待機状態から使用状態に設定する。
【００４３】
第２のカウンタ部１０８は、撮像部ＣＭの設定状態が待機状態から使用状態に設定されると、ユーザが撮像部ＣＭを使用することができる期間に相当する第２の期間のカウントを開始する。この第２の期間には、例えばユーザが受付領域ＲＡから撮像領域ＣＡに移動して撮像部ＣＭの使用を開始するための撮像準備期間や、写真シールの写真枠や背景などをユーザに選択させるための背景選択期間や、カメラＣＲが画像を撮像するための撮像期間など、複数の期間を含ませることができる。
【００４４】
ここで状態制御部１０２は、先のユーザについて撮像部ＣＭの設定状態が使用状態に設定されている場合には、次のユーザについて代価受付部ＲＭの設定状態を待機状態に設定することはないので、次のユーザについて撮像部ＣＭの設定状態を使用状態に設定することもない。すなわち第２のカウンタ部１０８は、第１の期間のカウントが終了しても、先のユーザについて第２のカウンタ部１０８が第２の期間をカウントしている場合には、次のユーザについての第２の期間のカウントを開始することはない。そして第２のカウンタ部１０８は、先のユーザについての第２の期間のカウントが終了すると、次のユーザが撮像部ＣＭを使用することができる期間に相当する第２の期間のカウントを開始する。
【００４５】
表示制御部１１０は、第２のカウンタ部１０８が第２の期間をカウントしている場合に、すなわち撮像部ＣＭを使用している先のユーザがいる場合に、代価受付部ＲＭの受付用モニタ３２０に「撮影中」との画像を表示させ、第２のカウンタ部１０８が第２の期間をカウントしていない場合に、すなわち撮像部ＣＭを使用している先のユーザがいない場合に、受付用モニタ３２０に「撮影可」との画像を表示させる。
【００４６】
また表示制御部１１０は、第１のカウンタ部１０４が第１の期間をカウントしていない場合であって、第２のカウンタ部１０８が第２の期間をカウントしていない場合には、すなわちユーザから代価の投入を受け付けていない場合であって、撮像部ＣＭを使用している先のユーザがいない場合には、代価受付部ＲＭに対して代価の投入を行うことを案内する案内画像を、撮像部ＣＭの撮像用モニタ３３０に表示させる。
【００４７】
また表示制御部１１０は、第２の期間のカウントが開始されるとともに、撮像用モニタ３３０に撮像部ＣＭの使用開始を促す画像を表示させる。そして、撮像用タッチセンサ２３０に対する使用開始操作が行われるか、撮像準備期間が経過すると、撮像用モニタ３３０に写真シールの写真枠や背景などをユーザに選択させるための背景選択画像を表示させる。そして、撮像用タッチセンサ２３０に対する選択決定操作が行われるか、背景選択期間が経過すると、カメラＣＲが撮像しているユーザの画像をリアルタイムの動画像として表示させる。すると第２のカウンタ部１０８が、写真シールに印刷するユーザの静止画像を決定するシャッタータイミングまでのシャッター期間のカウントを開始し、シャッター期間のカウントが終了すると、表示制御部１１０は、その時点でカメラＣＲが撮像しているユーザの画像を静止画像として表示させる。そして第２の期間が満了するまで、背景などの選択の受付処理と静止画像の保存処理とが繰り返され、表示制御部１１０は、背景選択画像の表示とユーザの静止画像の表示とを繰り返す。
【００４８】
カウンタ制御部１１２は、上述した撮像準備期間や、背景選択期間については、各期間に設定された所定時間が経過する前に（各期間が満了する前に）各期間を終了させる操作が行われると、第２のカウンタ部１０８に直ちに次の期間のカウントを開始させる。従って本実施形態では、撮像準備期間や背景選択期間について期間を終了させる操作が行われると、すなわち撮像準備期間や背景選択期間が各期間に設定された所定時間よりも早く終了されると、各期間を終了させる操作のタイミングに応じて、背景などの選択の受付処理と静止画像の保存処理とを行う回数が変化する。すなわちユーザが、撮像部ＣＭの使用開始操作や、背景の選択決定操作を早く行うと、より多くの静止画像を保存させることができる。
【００４９】
カメラ制御部１１４は、写真シールの写真枠や背景などをユーザに選択させるための背景選択期間が終了すると、カメラＣＲを起動し、撮像領域ＣＡに位置するユーザの画像の撮像を開始する。そしてカメラ制御部１１４は、シャッター期間のカウントが終了すると、その時点でカメラＣＲが撮像しているユーザの画像を静止画像として記憶部１２４の静止画保存領域に保存する。そしてカメラ制御部１１４は、ユーザの静止画を表示させる操作が４回繰り返されると、カメラＣＲを停止させ、画像の撮像を終了する。
【００５０】
ここで状態制御部１０２は、第２の期間が終了すると、撮像部ＣＭの状態を使用状態から待機状態に設定する。すると状態制御部１０２は、次のユーザについて代価受付部ＲＭの設定状態を待機状態に設定することが可能となり、次のユーザについて撮像部ＣＭの設定状態を使用状態に設定することが可能となる。すなわち撮像部ＣＭは、次のユーザによる撮像部ＣＭの使用が可能となる。そして状態制御部１０２は、撮像部ＣＭの状態を使用状態から待機状態に設定すると、編集操作受付部ＥＭの状態を待機状態から使用状態に設定する。
【００５１】
第３のカウンタ部１１６は、編集操作受付部ＥＭの状態が待機状態から使用状態に設定され、保存された静止画像に対するユーザの編集操作が可能になると、ユーザが編集操作受付部ＥＭを使用することができる期間に相当する第３の期間をカウントする。この第３の期間には、例えばユーザが撮像領域ＣＡから編集領域ＥＡに移動して編集操作受付部ＥＭの使用を開始するための編集準備期間や、編集操作受付部ＥＭの使用方法を説明するための説明期間や、シールに印刷するユーザの静止画像を選択するための画像選択期間や、画像に合成する線図の入力操作やスタンプ画像の選択・配置操作などを受け付けるための編集期間など、複数の期間を含ませることができる。
【００５２】
ここで第３の期間のカウントが開始されると、表示制御部１１０は、編集用モニタ３６０に編集操作受付部ＥＭの使用方法を説明する画像を表示させ、編集用モニタ３６０にシールに印刷するユーザの静止画像を選択させるための画像を表示させる。次に、ユーザの静止画像の選択が終了するか、画像選択期間が経過すると、編集用モニタ３６０にシールに印刷するユーザの静止画像として選択された画像と、当該画像に合成する線図やスタンプ画像を入力するためのツール画像を表示させる。そして、編集用タッチセンサ２４０に対する終了操作が行われるか、編集期間が経過すると、第３の期間が終了する。
【００５３】
編集処理部１１８は、第３のカウンタ部１１６が第３の期間をカウントしている場合に、ユーザから編集用タッチセンサ２４０に対する画像を編集するための操作を受け付ける。例えば、編集用タッチセンサ２４０に対してタッチペンＴＰによって線図を描画するためのツール画像を選択する操作が行われると、画像編集ソフトの操作モードを線図描画モードに設定する。そして、ユーザの画像が表示された領域について線図を描画する操作が行われると、編集用タッチセンサ２４０に対するタッチペンＴＰの接触軌跡に対応した線図の入力を受け付け、入力された線図を編集画像として記憶部１２４の編集画像保存領域に保存する。また、編集用タッチセンサ２４０に対してタッチペンＴＰによってスタンプ画像を配置するためのツール画像を選択する操作が行われると、画像編集ソフトの操作モードをスタンプモードに設定する。そして、ユーザの画像が表示された領域についてスタンプ画像を配置する位置を指定する操作が行われると、編集用タッチセンサ２４０に対するタッチペンＴＰの接触位置に選択されたスタンプ画像を配置する入力を受け付け、配置されたスタンプ画像を編集画像として記憶部１２４の編集画像保存領域に保存する。そして、ユーザの静止画像と編集画像とを合成して、合成画像を記憶部１２４の合成画像保存領域に保存する。
【００５４】
ここで状態制御部１０２は、第３の期間のカウントが終了すると、編集操作受付部ＥＭの状態を使用状態から待機状態に設定する。そして編集操作受付部ＥＭは、次のユーザによる編集操作受付部ＥＭの使用を受け入れる。
【００５５】
印刷処理部１２０は、第３の期間のカウントが終了したことに基づいて、印刷部３７０を制御して、記憶部１２４の合成画像保存領域に保存された合成画像をシールに印刷出力し、写真シール提供部ＰＢの写真シール取出口ＰＯに送出する。
【００５６】
音制御部１２２は、代価受付部ＲＭ、撮像部ＣＭ、編集操作受付部ＥＭの各部に設けられたスピーカ３８０から、写真シール自動販売装置ＰＭの利用に関する案内音声や、効果音などを出力させる。特に音制御部１２２は、第１のカウンタ部１０４、第２のカウンタ部１０８、第３のカウンタ部１１６がカウントしているカウント値や、状態制御部１０２が設定する写真シール自動販売装置ＰＭの状態、あるいは代価受付部ＲＭ、撮像部ＣＭ、編集操作受付部ＥＭ、写真シール提供部ＰＢの各部の状態などに基づいて、複数のユーザが代価受付部ＲＭ、撮像部ＣＭ、編集操作受付部ＥＭ、写真シール提供部ＰＢの各部を円滑に使用できるように、ユーザを案内する音声を出力する。
【００５７】
記憶部１２４は、処理部１００などのワーク領域として機能し、その機能はＲＡＭなどのハードウェアにより実現できる。また記憶部１２４は、プログラムやデータなどの情報を格納するものとしても機能し、その機能は磁気ディスク、ハードディスク、磁気テープ、メモリ（ＲＯＭ）、光磁気ディスク（ＭＯ）、光ディスク（ＣＤ、ＤＶＤ）などのハードウェアにより実現できる。上述した処理部１００は、この記憶部１２４に格納される情報に基づいて、本発明（本実施の形態）の種々の処理を行なう。すなわち、記憶部１２４には、本発明（本実施の形態）の手段（特に処理部１００に含まれるブロック）を実行するための情報（プログラムあるいはデータ）が格納される。
【００５８】
なお、本発明（本実施の形態）の手段を実行するためのプログラムあるいはデータは、ホストコンピュータ（サーバ）が有する情報記憶媒体からネットワーク及び通信部を介して記憶部１２４に配信するようにしてもよい。このようなホストコンピュータ（サーバ）の情報記憶媒体の使用も本発明の範囲内に含まれる。
【００５９】
３．本実施形態の手法
本実施形態では、代価受付部ＲＭと撮像部ＣＭとを互いに異なる位置に設けることにより、ユーザが画像を撮像するために撮像領域ＣＡに滞在する前に、撮像領域ＣＡとは異なる受付領域ＲＡにおいてユーザに代価の投入および頭髪や衣服の状態の確認を行わせ、ユーザが撮像領域ＣＡに滞在する時間を短縮させる手法を採用する。以下、本実施形態に特徴的な代価受付部ＲＭの詳細について説明する。
【００６０】
３−１．撮像部を使用している先のユーザがいない場合
まず、図１に示す受付領域ＲＡにおいてユーザがコイン投入口ＣＩに代価の投入を行う際に、撮像部ＣＭを使用している先のユーザがいない場合の代価受付部ＲＭの制御手法の詳細について説明する。
【００６１】
図５は、代価受付部ＲＭを正面から見た平面図である。図５に示すように本実施形態では、代価受付部ＲＭの前面中部の左側に受付用モニタＲＭＮが設けられている。そして撮像部ＣＭを使用している先のユーザがいない場合には、受付用モニタＲＭＮに「撮影可」との文字を表示させる。また受付用モニタＲＭＮの下方には、音を出力するスピーカＳＰが設けられている。そしてユーザが未だ代価を投入していない場合であって、撮像部ＣＭを使用している先のユーザがいない場合には、スピーカＳＰから「コインを入れてね！すぐに撮影できるよ！」との音声を出力させる。
【００６２】
なお、ユーザが代価を投入していない場合であって、撮像部ＣＭを使用している先のユーザがいない場合には、図２に示す撮像部ＣＭに設けられた撮像用モニタＣＭＮに、代価受付部ＲＭに対して代価の投入を行うことを案内する案内画像を表示させる。つまり、撮像部ＣＭの撮像用モニタ３３０のアトラクト画面として、代価受付部ＲＭに対して代価の投入を行うことを案内する案内画像を表示させる。これにより、受付領域ＲＡにおいて代価の投入を行わずに撮像領域ＣＡに位置したユーザに対して、受付領域ＲＡにおいて代価の投入を行うことを案内することができる。
【００６３】
そして、図５に示す代価受付部ＲＭの前面下部に設けられたコイン投入口ＣＩに、代価の全部または一部が投入されると、代価受付部ＲＭの前面上部の受付用照明部ＲＬと前面中部の受付用照明部ＲＬとを点灯制御して、受付領域ＲＡに位置するユーザを照明し、受付領域ＲＡにおいてユーザに鏡ＭＲによって頭髪や衣服の状態の確認を行わせる。
【００６４】
特に本実施形態では、代価受付部ＲＭの受付用照明部ＲＬによる照明効果と、撮像部ＣＭの撮像用照明部ＣＬ（図２参照）による照明効果とが、同様の照明効果となるように受付用照明部ＲＬの照度、照射角度、光の色などが調整されている。従って本実施形態では、代価受付部ＲＭの鏡ＭＲで確認できるユーザの像と、撮像部ＣＭの撮像用モニタＣＭＮで確認できるユーザの画像とがほぼ同様に見えるため、ユーザが撮像部ＣＭにおいて撮像用モニタＣＭＮで自らの写り具合を確認する必要がない、或いは写り具合を確認する時間が短くて済む。これにより本実施形態によれば、ユーザが撮像領域ＣＡに滞在する時間を短縮させることができる。
【００６５】
そして本実施形態では、ユーザが代価を投入してから３０秒が経過すると、スピーカＳＰから「撮影ブースに移動してね！」というようにユーザを撮像領域ＣＡに移動するよう誘導する音声を出力させ、受付用照明３１０を消灯させる。
【００６６】
また本実施形態では、撮像部ＣＭを使用している先のユーザがいない場合には、代価受付部ＲＭの前面中部の右側に設けられた撮像移行ボタン２２０を有効化し、スピーカＳＰから「準備ができたらボタンを押してね！」というように案内する音声を出力させる。そして有効化された撮像移行ボタン２２０が押下されると、ユーザが代価を投入してから３０秒が経過する前であっても、スピーカＳＰから「撮影ブースに移動してね！」というようにユーザを撮像領域ＣＡに移動するよう誘導する音声を出力させ、受付用照明３１０を消灯させる。
【００６７】
このように本実施形態によれば、ユーザが代価受付部ＲＭに対して代価の投入を行った際に、撮像部ＣＭを使用している先のユーザがいない場合には、ユーザの操作入力により速やかに撮像部ＣＭの使用を開始することができる。
【００６８】
３−２．撮像部を使用している先のユーザがいる場合
次に、図１に示す受付領域ＲＡにおいてユーザがコイン投入口ＣＩに代価の投入を行う際に、撮像部ＣＭを使用している先のユーザがいる場合の代価受付部ＲＭの制御手法の詳細について説明する。
【００６９】
撮像部ＣＭを使用している先のユーザがいる場合には、図５に示す受付用モニタＲＭＮには、「撮影中」との文字を表示させる。また、ユーザが未だ代価を投入していない場合であって、撮像部ＣＭを使用している先のユーザがいる場合には、スピーカＳＰから「ただいま撮影中！残り○○秒だよ！コインを入れてね！」との音声を出力させる。本実施形態では、ユーザが撮像部ＣＭを使用することができる期間に相当する第２の期間のカウント値に基づいて、第２の期間が終了するまでの残り時間を報知する音声を出力させる。
【００７０】
そして本実施形態の代価受付部ＲＭは、撮像部ＣＭを使用している先のユーザがいる場合であっても、コイン投入口ＣＩへの代価の投入を受け付ける。すなわち本実施形態によれば、先のユーザが撮像領域ＣＡに滞在している間の次のユーザの待ち時間を利用して、受付領域ＲＡにおいて次のユーザに代価の投入を行わせる。従って本実施形態によれば、従来の写真シール自動販売装置のように、ユーザが撮像領域ＣＡに入ってから代価を用意することにより撮像領域ＣＡにユーザが滞在する時間が長くなってしまうという問題は発生しない。すなわち本実施形態によれば、ユーザが撮像領域ＣＡに滞在する時間を短縮することができ、ユーザの順番待ちの時間を短縮することができる。
【００７１】
そして、受付領域ＲＡにおいてコイン投入口ＣＩに代価の全部または一部が投入されると、代価受付部ＲＭの前面上部の受付用照明部ＲＬと前面中部の受付用照明部ＲＬとを点灯制御して受付領域ＲＡに位置するユーザを照明し、鏡ＭＲによってユーザに頭髪や衣服の状態の確認を行わせる。すなわち本実施形態によれば、先のユーザが撮像領域ＣＡに滞在している間の次のユーザの待ち時間を利用して、受付領域ＲＡにおいてユーザに頭髪や衣服の状態の確認を行わせる。従って本実施形態によれば、従来の写真シール自動販売装置ＰＭのように、ユーザが撮像領域ＣＡに移動してから頭髪や衣服の状態の確認を行うことにより撮像領域ＣＡにユーザが滞在する時間が長くなってしまうという問題は発生しない。すなわち本実施形態によれば、ユーザが撮像領域ＣＡに滞在する時間を更に短縮することができ、ユーザの順番待ちの時間を更に短縮することができる。
【００７２】
そして先のユーザによる撮像部ＣＭの使用が終了すると、スピーカＳＰから次のユーザに対して「撮影ブースに移動してね！」というように次のユーザを撮像領域ＣＡに誘導する音声を出力させ、次のユーザを照明していた受付用照明３１０を消灯させる。なお、先のユーザによる撮像部ＣＭの使用が終了した時点が、次のユーザが代価を投入してから３０秒が経過する前である場合には、代価受付部ＲＭの前面中部の右側に設けられた撮像移行ボタン２２０を有効化し、スピーカＳＰから「準備ができたらボタンを押してね！」というように案内する音声を出力させる。そして有効化された撮像移行ボタン２２０が押下されると、スピーカＳＰから「撮影ブースに移動してね！」というようにユーザを撮像領域ＣＡに誘導する音声を出力させ、受付用照明３１０を消灯させる。
【００７３】
そして本実施形態では、撮像部ＣＭを使用している先のユーザがいる場合に、次のユーザから代価の投入を受け付けた場合には、先のユーザによる撮像部ＣＭの使用が終了した後に、次のユーザによる撮像部ＣＮの使用が開始されるように、次のユーザについての第２の期間のカウントを開始する。
【００７４】
こうして本実施形態によれば、先のユーザが撮像領域ＣＡに滞在している間の次のユーザの待ち時間を利用して、受付領域ＲＡにおいて次のユーザに代価の投入や、頭髪・衣服の状態の確認を行わせることにより、次のユーザが撮像領域ＣＡに移動した際に速やかに撮像部ＣＭの使用を開始させることができる。従って本発明によれば、ユーザが撮像領域ＣＡに滞在する時間を短縮することにより、ユーザの順番待ちの時間を短縮することができる。
【００７５】
４．本実施形態の処理の流れ
続いて図６、図７のフローチャートを参照しながら本実施形態の制御手法を実現する処理の一例について説明する。
【００７６】
４−１．代価受付部の処理の流れ
図６は、代価受付部ＲＭの処理の流れの一例を示すフローチャートである。図６に示すように本実施形態の代価受付部ＲＭは、まず、撮像部ＣＭが使用状態に設定されているか否かを判断し、撮像部ＣＭが使用状態に設定されている場合には（ステップＳ１０でＹ）、先のユーザが撮像部ＣＭを使用できる期間に相当する第２の期間の残り時間を受信する（ステップＳ１２）。そして、代価受付部ＲＭのスピーカＳＰから、第２の期間の残り時間とコイン投入口ＣＩに代価を投入することを案内する音声を出力させる（ステップＳ１４）。一方、撮像部ＣＭが使用状態に設定されていない場合には（ステップＳ１０でＮ）、代価受付部ＲＭのスピーカＳＰから、撮像部ＣＭがすぐに使用できることとコイン投入口ＣＩに代価を投入することを案内する音声を出力させる（ステップＳ１６）。
【００７７】
そしてコイン投入口ＣＩに代価が投入されないと（ステップＳ１８でＮ）、ステップＳ１０からステップＳ１６までの処理を繰返し、コイン投入口ＣＩに代価が投入されると（ステップＳ１８でＹ）、代価受付部ＲＭを使用状態に移行させる（ステップＳ２０）。すると受付用照明部ＲＬを点灯させ（ステップＳ２２）、受付用照明部ＲＬを点灯させる期間に相当する第１の期間のカウントを開始する（ステップＳ２４）。
【００７８】
すると撮像部ＣＭが待機状態に設定されているか否かを判断し、撮像部ＣＭが待機状態に設定されていない場合には、すなわち撮像部ＣＭを使用している先のユーザがいる場合には（ステップＳ２６でＮ）、撮像部ＣＭが待機状態に移行されることを待機する。そして撮像部ＣＭが待機状態に設定されているか、待機状態に移行された場合には（ステップＳ２６でＹ）、第１の期間が満了したか否か判断し、第１の期間が満了すると（ステップＳ２８でＹ）、撮像部ＣＭに移動することを案内する音声をスピーカＳＰから出力させる（ステップＳ３０）。一方、第１の期間が満了していないと（ステップＳ２８でＮ）、撮像移行ボタン２２０を有効化し（ステップＳ３２）、撮像移行ボタン２２０が有効化されたことを案内する音声をスピーカＳＰから出力させる（ステップＳ３４）。
【００７９】
そして撮像移行ボタン２２０が押下されると（ステップＳ３６でＹ）、撮像部ＣＭに移動することを案内する音声をスピーカＳＰから出力させる（ステップＳ３０）。一方、撮像移行ボタン２２０が押下されないと（ステップＳ３６でＮ）、第１の期間が満了したか否か判断し、第１の期間が満了すると（ステップＳ３８でＹ）、撮像部ＣＭに移動することを案内する音声をスピーカＳＰから出力させる（ステップＳ３０）。また第１の期間が満了していないと（ステップＳ３８でＮ）、ステップＳ３４からステップＳ３８の処理を繰り返す。
【００８０】
こうして撮像部ＣＭに移動することを案内する音声をスピーカＳＰから出力させると（ステップＳ３０）、代価受付部ＲＭを待機状態に移行させる（ステップＳ４０）。そして受付用照明部ＲＬを消灯させ（ステップＳ４２）、次のユーザの代価の投入を受け付ける。
【００８１】
４−２．撮像部の処理の流れ
図７は、撮像部ＣＭの処理の流れの一例を示すフローチャートである。図７に示すように本実施形態の撮像部ＣＭは、まず、代価受付部ＲＭが待機状態に設定されているか否かを判断し、代価受付部ＲＭが待機状態に設定されている場合には、すなわち代価受付部ＲＭを使用している次のユーザがいない場合には（ステップＳ５０でＹ）、撮像用モニタ３３０のアトラクト画面として、代価受付部ＲＭに対して代価の投入を行うことを案内する案内画像を表示させる（ステップＳ５２）。そして代価受付部ＲＭが使用状態に移行されたか否かを判断し、代価受付部ＲＭが使用状態に移行された場合には（ステップＳ５４でＹ）、撮像用モニタ３３０に代価受付部ＲＭで受付中であることを案内する案内画像を表示させる（ステップＳ５６）。
【００８２】
一方、ステップＳ５０において、代価受付部ＲＭが待機状態に設定されていない場合には、すなわち代価受付部ＲＭを使用している次のユーザがいる場合には（ステップＳ５０でＮ）、アトラクト画面は表示させずに、撮像用モニタ３３０に代価受付部ＲＭで受付中であることを案内する案内画像を表示させる（ステップＳ５６）。
【００８３】
そして代価受付部ＲＭが待機状態に移行されたか否かを判断し、代価受付部ＲＭが待機状態に移行された場合には、すなわち次のユーザによる代価受付部ＲＭの使用が終了した場合には（ステップＳ５８でＹ）、撮像部ＣＭを使用状態に移行させる（ステップＳ６０）。そして第２の期間のカウントを開始する（ステップＳ６２）。本実施形態では第２の期間のカウントとして、まず、ユーザが受付領域ＲＡから撮像領域ＣＡに移動して撮像部ＣＭの使用を開始するための撮像準備期間のカウントを開始する。
【００８４】
すると、撮像用モニタ３３０に撮像部ＣＭの使用開始を促す画像を表示させ、開始操作を受け付ける（ステップＳ６４）。そして、撮像用タッチセンサ２３０に対する開始操作が行われるか、撮像準備期間が終了すると（ステップＳ６６でＹ）、撮像用モニタ３３０に写真シールの写真枠や背景などをユーザに選択させるための画像を表示させ、選択決定操作を受け付ける（ステップＳ６８）。そして、撮像用タッチセンサ２３０に対する選択決定操作が行われるか、背景選択期間が終了すると（ステップＳ７０でＹ）、カメラＣＲが撮像しているユーザの画像をリアルタイムの動画として表示させ、シールに印刷する静止画としてのユーザの画像を保存する（ステップＳ７２）。本実施形態では、シャッター期間のカウントが終了すると、その時点でカメラＣＲが撮像しているユーザの画像を静止画像として表示させ、表示させた画像を保存する。そして、第２の期間が満了するまで（ステップＳ７４でＹ）、ステップＳ６８からステップＳ７４までの処理を繰り返す。
【００８５】
こうして第２の期間が満了すると（ステップＳ７４でＹ）、編集操作受付部ＥＭに移動することを案内する音声を撮像部ＣＭのスピーカから出力させる（ステップＳ７６）。そして撮像部ＣＭを待機状態に移行させ（ステップＳ７８）、次のユーザの代価の投入を受け付ける。
【００８６】
５．変形例
上記実施形態で説明した手法は、一例を示したに過ぎず、上記実施形態の手法と同様の効果を奏する均等な手法を採用した場合においても本発明の範囲に含めることができる。また本発明は、上記実施形態で説明したものに限らず、種々の変形実施が可能である。そして上記実施形態で説明した各種の手法や、変形例として後述する各種の手法は、本発明を実現する手法として適宜組み合わせて採用することができる。
【００８７】
例えば上記実施形態では、写真シール自動販売装置ＰＭが、代価受付部ＲＭ、撮像部ＣＭ、編集操作受付部ＥＭ、写真シール提供部ＰＢを含む構成を例に挙げて説明したが、編集操作受付部ＥＭを省略するようにしてもよい。この場合には写真シール提供部ＰＢは、自動的に編集された画像を印刷して印刷物をユーザに提供したり、撮像された画像を編集せずにそのまま印刷出力して印刷物をユーザに提供するようにしてもよい。
【００８８】
またユーザが代価受付部ＲＭ、撮像部ＣＭ、編集操作受付部ＥＭ、写真シール提供部ＰＢの各部を順次円滑に使用するために各部の処理を連動させる制御は、第１のカウンタ部１０４、第２のカウンタ部１０８、第３のカウンタ部１１６の各カウント値に基づいて行ってもよいし、各部の設定状態や設定状態の移行に基づいて行ってもよいし、各部におけるユーザの操作入力や各種処理に基づいて行ってもよい。またこれらの情報を適宜組合せて各部の処理を連動させる制御を行ってもよい。
【００８９】
また代価受付部ＲＭ、撮像部ＣＭ、編集操作受付部ＥＭ、写真シール提供部ＰＢの各部を制御するための処理部１００は、１つの処理部１００により各部の制御を行うようにしてもよいし、処理部１００を各部に分散させて各部の制御を行うようにしてもよい。
【図面の簡単な説明】
【００９０】
【図１】本実施形態の写真シール自動販売装置の外観の一例を示す斜視図。
【図２】本実施形態の写真シール自動販売装置の外観の一例を示す斜視図。
【図３】本実施形態の写真シール自動販売装置の外観の一例を示す斜視図。
【図４】本実施形態の写真シール自動販売装置の機能ブロックの説明図。
【図５】本実施形態の写真シール自動販売装置の外観の一例を示す平面図。
【図６】本実施形態の写真シール自動販売装置の処理例を示すフローチャート。
【図７】本実施形態の写真シール自動販売装置の処理例を示すフローチャート。
【符号の説明】
【００９１】
ＰＭ  写真シール自動販売装置、ＲＭ  代価受付部、ＣＭ  撮像部、
ＥＭ  編集操作受付部、ＰＢ  写真シール提供部、ＳＰ  スピーカ、ＲＡ  受付領域、
ＲＭＮ  受付用モニタ、ＣＩ  コイン投入口、ＲＬ  受付用照明部、ＭＲ  鏡ＭＲ、
ＢＴ  撮像移行ボタン、ＣＡ  撮像領域、ＳＴ  シート、ＣＲ  カメラ、
ＣＬ  撮像用照明部、ＣＭＮ  撮像用モニタ、ＥＡ  編集領域、ＥＭＮ  編集用モニタ、
ＴＰ  タッチペン、ＰＡ  取出領域、ＰＯ  写真シール取出口
１００  処理部、１０２  状態制御部、１０４  第１のカウンタ部、
１０６  照明制御部、１０８  第２のカウンタ部、１１０  表示制御部、
１１２  カウンタ制御部、１１４  カメラ制御部、１１６  第３のカウンタ部、
１１８  編集処理部、１２０  印刷処理部、１２２  音制御部、１２４  記憶部、
２１０  代価検出センサ、２２０  撮像移行ボタン、２３０  撮像用タッチセンサ、
２４０  編集用タッチセンサ、３１０  受付用照明、３２０  受付用モニタ、
３３０  撮像用モニタ、３４０  カメラ、３５０  撮像用照明、３６０  編集用モニタ、
３７０  印刷部、３８０  スピーカ、
【図１】
2009069431.tif 000003
【図２】
2009069431.tif 000004
【図３】
2009069431.tif 000005
【図４】
2009069431.tif 000006
【図５】
2009069431.tif 000007
【図６】
2009069431.tif 000008
【図７】
2009069431.tif 000009